Podtech/llm-jp-corpus-v4-ja_patent huggingface dataset:
(57)【要約】【課題】本発明は、簡単な構造で省スペースに光コードの余長を収納できる余長収納構造を提供することを目的としている。【解決手段】本発明に係る余長収納構造は、トレイ１に光コード２の余長を巻くための第一のガイド３ａと、第一のガイド３ａの下部に、光コード２の余長を少なくとも一周させるだけのスペースを確保した第二のガイド３ｂを設け、小さなスペースに多くの光コード２の余長を収納可能とし余長を収納する作業をしやすくしたことを特徴とする。【選択図】図１
2008064912.tif 000002
【特許請求の範囲】
【請求項１】
トレイに光通信機器を配置し、該光通信機器を配線する光コードの余長を収納するための余長収納構造であって、前記トレイに前記光コードの余長を巻くための第一のガイドと、該第一のガイドの下部に、前記光コードの余長を少なくとも一周させるだけのスペースを確保した第二のガイドを設けたことを特徴とする余長収納構造。
【発明の詳細な説明】
【技術分野】
【０００１】
本発明は、トレイに光通信機器を配置し、光通信機器を配線する光コードの余長を収納するための余長収納構造に関するものである。
【背景技術】
【０００２】
図５に示すように、光コードを接続する融着トレイ３１、光アダプタ３２、光ケーブルを支持固定するためのケーブルクランプ３３やテンションメンバ押さえ３４等の光通信機器をパネル３５に配置する。従来、光アダプタ３２の近傍には光コードの余長を巻くワイヤサドル３６を設けていた。光コードはその特性上、折り曲げて用いることはできないので、ワイヤサドル３６の最低限必要な径や、余長の端部から光アダプタ３２への接続に必要な距離も決まっていて、そのように設置されたワイヤサドル３６に余長を調節しながら巻きつけ収納していた。
【非特許文献１】カワムララックカタログＮｏ．１０  ２００６年６月１日発行
【発明の開示】
【発明が解決しようとする課題】
【０００３】
しかしながら、上記余長収納構造では、ワイヤサドルに余長を調節しながら巻きつける作業は煩雑で、ワイヤサドル一周に少しでも足りないと、ワイヤサドルの周囲にたるませて収納しなくてはならなかった。光コードの特性上折り曲げられないため、どうしても余長収納のための大きなスペースが必要となっていた。
【課題を解決するための手段】
【０００４】
そこで本発明は、簡単な構造で省スペースに光コードの余長を収納できる余長収納構造を提供することを目的とし、その構造は、トレイに光コードの余長を巻くための第一のガイドと、第一のガイドの下部に、光コードの余長を少なくとも一周させるだけのスペースを確保した第二のガイドを設けたことを特徴とする。
【発明の効果】
【０００５】
本発明に係る余長収納構造は、トレイに光コードの余長を巻くための第一のガイドと、第一のガイドの下部に、光コードの余長を少なくとも一周させるだけのスペースを確保した第二のガイドを設けたため、第二のガイドに巻いた一周分の余長により、第一のガイドに余裕を持って余長を収納することができる。また、光アダプタとガイドまでの距離が確保でき、光アダプタへの差し込み具の長さもとれるので、余長の長さ調節が容易にできるようになる。
【発明を実施するための最良の形態】
【０００６】
本発明に係る余長収納構造を図１〜図４の添付図面に基いて説明する。
【０００７】
トレイ１に光通信機器を配置し、光通信機器は光コード２により配線され、光通信機器収納用キャビネットには、光コード２の余長を収納するガイド３を設けている。光コード２の余長の部には、光アダプタ４と接続するための接続具５が取り付けられている。接続具５の部分は折り曲げられないので、余長収納をする位置は、光アダプタ４から、光コード２の先端の接続具５の距離分だけ離したところにする。
【０００８】
光コード２はその特性上、折り曲げて使用することができないので、ガイド３は余長が折り曲げられず巻きつけることが可能な径が必要である。
【０００９】
光コード２の余長を収納するために第一のガイド３ａを設ける。第一のガイド３ａの下部には最小でも第一のガイド３ａの径の第二のガイド３ｂを、第一のガイド３ａと同一の中心ではなく、光アダプタ４から離れる方向へずらした位置に設ける。第二のガイド３ｂとトレイ１の壁面とは光コード２が少なくとも一周できるだけの隙間があればよい。
【００１０】
光アダプタ４に接続した光コード２の余長は第二のガイド３ｂを一周させ、二周目からは第一のガイド３ａに巻きつける。第一のガイド３ａには、第二のガイド３ｂに巻いた分だけ多く巻くことができ、全体では、余長収納の量を増やすことができる。ガイド３は、光コード２が折り曲げられないように最小の径が決められている。ガイド３を二段に、中心を同一に設けた場合、余長を収納するために、トレイ１とガイド３との間には多くのスペースが必要となる。本発明においては、省スペースに収めるため、第二のガイド３ｂは光コード２を一周させるだけに設定し、トレイ１と第二のガイド３ｂとの間のスペースも最小とした。限られたトレイ１上のスペースを最大限活用することができる。
【産業上の利用可能性】
【００１１】
光コードの余長を収納するために、ガイドを上下二段に設けたため、その下側の第二のガイドに合わせて、光アダプタの取り付け位置もできるだけ下方にし、光アダプタの上側もガイドに収まりきらなかった光コードの余長を収納することができ、より省スペースの余長収納構造が提供できる。
【図面の簡単な説明】
【００１２】
【図１】本発明に係る余長収納構造を示す説明図である。
【図２】本発明に係る余長収納構造を示す説明図である。
【図３】本発明に係る余長収納構造を示す説明図である。
【図４】本発明に係る余長収納構造を示す拡大図である。
【図５】本発明に係る余長収納構造を示す拡大図である。
【符号の説明】
【００１３】
１    トレイ
２    光コード
３    ガイド
３ａ  第一のガイド
３ｂ  第二のガイド
４    光アダプタ
５    接続具
【図１】
2008064912.tif 000003
【図２】
2008064912.tif 000004
【図３】
2008064912.tif 000005
【図４】
2008064912.tif 000006
【図５】
2008064912.tif 000007
(57)【要約】【課題】  乾燥機による食品残渣物の乾燥工程に於いて乾燥時間の短縮向上が図れないか。【解決手段】  乾燥時、槽内温度の上昇と共に槽外大気を強制的に送気させ、槽内温度と大気温度との差を利用し蒸散を促進させる。【選択図】図１
2008064440.tif 000002
【特許請求の範囲】
【請求項１】
攪拌軸とアームと掻き羽根とを一体化させ、その外周を円筒状の二重構造に囲んで横置し、供給口と排出口と排気口と送気口と、軸貫通隔壁にグランドを設けた低減圧乾燥機。
【請求項２】
前記排気口にエジェクターポンプを接続させ、送気口に押し込み空気を圧送させる前記請求項１の低減圧乾燥機。
【請求項３】
送気口に送気用空気機械又はブロワーを接続させた前記請求項１、２の低減圧乾燥機。
【発明の詳細な説明】
【技術分野】
【０００１】  本発明は、乾燥機槽内圧力を減圧させた食品残渣物の乾燥に関する。
【背景技術】
【０００２】  食品業界より廃棄される食品残渣物並びに汚泥、一般食品生ごみ等を、減容化の手段として乾燥により資源化がはかられている。
乾燥方法は色々な方法でなされているが、大気圧と減圧とに大別され近年超減圧機から高減圧機が使われるようになった。高減圧乾燥機のように真空度が高いと吸引力も高くなり、乾燥末期に乾燥粉体をすべて吸い上げてしまう事が生じる。
一般に普及しない理由は高価である。負圧に耐える鋼材、構造と剛性、強度等制約がある。処理物の供給と排出に時間が多くかかる問題も起きている。【０００３】  食品残渣物乾燥機の分野にも高減圧乾燥機が使用されるようになってきた。真空維持により処理物の供給、排出の度に多くのボルトの緩め、締付に時間がかかった。これらの機械の利点は、真空に保つことで沸点の低下により蒸発温度が低い理由で、省エネと蒸発時に発生する蒸散するガス量が少ないため消臭対策が容易である利点が強調されている。【０００４】  高減圧乾燥機は利点も多いが、欠点として構造体の板厚が厚く補強等の補強材を多く必要とし、真空を保つ上での処理物供給口、排出口の機構が複雑となり製作が困難である。
どうしても必要な攪拌機の軸と軸が貫通する隔壁部と軸との隙間の問題が発生し、真空破壊を防止するために更に構内に流入する空気以上の真空機器能力が必要である。【０００５】  但し真空維持の問題点は、加熱による槽体の変形、攪拌軸の歪による壁面軸貫通部のパッキンの劣化、各部の強度シール部よりの大気吸入防止、気密の保持向上等であった。
しかし一番の問題点は、最利点であるはずの沸点の低下に異議がある。乾燥させる処理物は、物であって水でない理由で乾燥時間の短縮に大きな開きはない。
【特許文献１】  特開平８−２９９９４    生ゴミ処理株式会社ブリジストン
【特許文献２】  特開平８−２９９６９８  真空乾燥方法サタコエンジニアリング
【非特許文献１】  真空のはなし  飯島瑞穂著  日本規格協会
【発明の開示】
【発明が解決しようとする課題】
【０００６】  解決しようとする課題は、槽内低減圧による負圧の中で処理物の供給、乾燥物の排出、点検口の開閉時に層内より発生する臭気が外部に漏出しないか、乾燥時槽内に大気を吹き込むことで温度差を強制的に作り、槽内に速い気流を発生させ、乾燥時間の短縮は可能かが挙げられる。
【課題を解決するための手段】
【０００７】  乾燥機槽本体上部の一端に排気口を置き、排気口の遠い距離の反対側の位置に小さな送気口をもうけ、排気・送気をおこないながら低減圧を保つ。排気量と送気量をほぼ近い量に維持し大気を槽内に押し込むと、大気温度と槽内温度との差によって熱の移行が激しくなり槽内に風の道が起きる。特に冬場の大気温度が低い場合は、その低温の空気を吹き込むと乾燥速度が早くなる。
【発明の効果】
【０００８】  乾燥機槽内圧力を低減圧に維持する。低減圧下は大気圧よりも少し負圧に保ち、ハッチ等の開放時に於いても内部より臭気の流出の無い状態にして臭気の拡散を防止する。
槽内を蒸散状態に維持させた中に外気をファンにより吹き込み、温度差によって気流を発生させ、熱の移行を促進向上させて乾燥時間を短縮させる。
【発明を実施するための最良の形態】
【０００９】  この発明の乾燥機について、図１に於いて説明する。
横置きの乾燥機断面図である。４．攪拌軸と６．攪拌アームとを一体化させ、その外周をジャケットをもうけた二重構造のフレーム５で囲み、鏡側隔壁にグランドを設けてシールし、９．ギヤーモートルの動力を７、８の歯車を介して伝達する。【００１０】  処理物供給口１０より処理物は軸の半ばまで収容し、ジャケット及び軸の内部に蒸気を挿蒸させ間接的に伝熱させる。
処理物の品温が上昇すると、３．押し込みファンにて１３．送気口より大気を槽内に送り込む。
大気温度と蒸発温度の差が大きいほど槽内空気は激しく動き、ファンの静圧により槽内空気が速く流れて槽より湿り空気の持ち出し量が増加する。【００１１】  槽内空気の移動速度が秒速１０Ｍ以上３０Ｍ程度のスピードを与えると乾燥効率向上につながる。
そのためにも蒸発する蒸気に、大気との槽内温度差に加え押し込みファンの速度エネルギーを加えると効果がある。
但し吸引風量よりも押し込み風量が少ない方が良い。【００１２】  押し込み風圧は低減圧を破壊しない範囲の静圧能力で押し込み、ファンは乾燥に必要な吸引圧力と風量を越えない数値とする。
あくまでも大気圧より低い低減圧構造のため、乾燥機本体を構成する部材は高減圧に使われる構造材と比較してはるかに板厚の薄い部材でよく、製品が安価であり製作も簡単である。【００１３】  低減圧を継続させるには必要減圧より余裕を持たす事が必要であるが、乾燥が進み含水量が低下すると、個々に固形化した処理物は大塊に固まり中塊、小塊と崩れ、最終は形状５〜１０ミリ大となり更に粉体が微粉となって乾燥が終了する。
この過程に於いて高減圧によって吸引乾燥させると紛体は乾燥機槽内に残らない。
欠点はあるが低減圧乾燥は大気より少しの負圧で影響が少ない。
【産業上の利用の可能性】
【００１４】  食品工場よりの製造過程で発生する食品残渣物、工場設備の洗浄等によるスクリーンカスや脱水汚泥等は肥料の原料として乾燥による減容化が進み、運搬の簡略化、発酵の前工程、飼料等に活用が可能である。
【図面の簡単な説明】
【００１５】
【図１】低減圧乾燥機の実施方法を示した説明図である。［断面実施例１］
【符号の説明】
【００１６】  １  排気口
２  グランドボックス
３  押し込みファン
４  攪拌軸
５  乾燥機本体
６  攪拌アーム
７  大歯車
８  小歯車
９  ギヤーモートル
１０  供給口
１１  排出口
１２  軸受
１３  送気口
【図１】
2008064440.tif 000003
(57)【要約】      （修正有）【課題】少量の水を一気に弾丸のように飛ばす、また水を使わずにノズルに弾を付けてエア−ガンとしても遊べる水鉄砲を提供する。【解決手段】ノズル１側の副チュ−ブ４を、最初だけ引き金１３を引くときに同時に、副チュ−ブ押さえ３で副チュ−ブ受け２に押しつけて閉じ、空気を水送りチュ−ブ９から水タンク１６に送り、水タンク１６内に圧力をかけて、水送りチュ−ブ９から副チュ−ブ４に水を送る、水送り装置。ポンプ１１側の主チュ−ブ７を、主チュ−ブ受け１０に押しつけて主チュ−ブ７を閉じる、主チュ−ブ押さえ１２。主チュ−ブ押さえ１２を押しつける、引き金１３と一体の引き金突起Ａ５。主チュ−ブ押さえ１２を、引き金１３を少々引いてもすぐに戻らないように押さえているカム１４。カム１４を押して、主チュ−ブ押さえ１２をカム１４から外す、引き金１３と一体の引き金突起Ｂ１５からなる、主チュ−ブ開閉装置。以上のごとく構成された水鉄砲。【選択図】図１
2008064442.tif 000002
【特許請求の範囲】
【請求項１】
ポンプから、主チュ−ブ受けまでを主チュ−ブ、主チュ−ブ受けからノズルまでを副チュ−ブとして。
▲１▼水鉄砲の握り部分を水タンク（１６）。
▲２▼副チュ−ブ（４）を、副チュ−ブ受け（２）に押しつける副チュ−ブ押さえ（３）。
▲３▼圧力のかかった空気を、水タンク（１６）に送る水送りチュ−ブ（９）。
以上からなる、水送り装置を有することを特徴とする水鉄砲。
【請求項２】
▲１▼主チュ−ブ押さえ（１２）を押す、引き金（１３）と一体の引き金突起Ａ（５）。
▲２▼主チュ−ブ（７）を、主チュ−ブ受け（１０）に押しつける主チュ−ブ押さえ（１２）。
▲３▼引き金（１３）を引いても、すぐに主チュ−ブ（７）が開かないように、主チュ−ブ押さえ（１２）を押さえているカム（１４）。
▲４▼引き金（１３）をある程度引いてから、カム（１４）を押して主チュ−ブ押さえ（１２）をカム（１４）から外す、引き金（１３）と一体の引き金突起Ｂ（１５）
以上からなる、主チュ−ブ（７）開閉装置を有することを特徴とする水鉄砲。
【発明の詳細な説明】
【産業上の利用分野】
【０００１】この発明は、少量の水を圧縮空気で一気に飛ばす、又水を使わずにエア−ガンとしても利用できる水鉄砲に関するものである。
【背景技術】
【０００２】従来の水鉄砲は、水タンクに多量の空気を送り込み、その圧力で水を飛ばす構造になっている。
【発明が解決しようとする課題】
【０００３】この発明は、圧縮された空気を一気にノズルに送って、ノズル側の副チュ−ブに送られた少量の水を飛ばす構造にすることにより、水の飛ぶスピ−ドが早くなる。水タンクも小さくできるので小型、軽量。ノズルに弾を付けてエア−ガンとしても遊べる。
【課題を解決するための手段】
【０００４】本発明を図面について説明すると
ポンプから、主チュ−ブ受けまでを主チュ−ブ（７）、主チュ−ブ受けからノズルまでを副チュ−ブ（４）として、
▲１▼水鉄砲の握り部分を水タンク（１６）とし、引き金（１３）を引く時に同時に副チュ−ブ（４）を副チュ−ブ受け（２）に副チュ−ブ押さえ（３で押しつけて閉じ、圧縮された空気が水送りチュ−ブ（９）を通して水タンク（１６）にいくようにし、水タンク（１６）内の空気圧を高めて水タンク（１６）の水を副チュ−ブ（４）に送り出す、水送り装置。
▲２▼主チュ−ブ（７）を、主チュ−ブ受け（１０）に主チュ−ブ押さえ（１２）で押しつけるために、主チュ−ブ押さえ（１２）を引き金（１３）と一体の引き金突起Ａ（５）で押しつける。
▲３▼押さえられた主チュ−ブ押さえ（１２）が、引き金（１３）を少々ひいてもすぐに戻らないように、押さえているカム（１４）。
▲４▼引き金（１３）をある程度引いてから、引き金（１３）と一体の引き金突起Ｂ（１５）でカム（１４）を押して、主チュ−ブ押さえ（１２）をカム（１４）から外し主チュ−ブ（７）を一気に全開にする、▲２▼▲３▼▲４▼からなる主チュ−ブ（７）開閉装置。
以上のごとく構成された水鉄砲。
【作用】
【０００５】本発明は、以上のような構成であるから、
▲１▼ポンプ（１１）を動作して、主チュ−ブ（７）に圧縮空気を送る。
▲２▼最初だけ副チュ−ブ（４）に水を送るために副チュ−ブ押さえ（３）を押して、引き金（１３）を引いたときに水送りチュ−ブ（９）から水タンク（１６）に空気がいくようにし、水タンク（１６）内に圧力をかけその圧力で水タンク（１６）の水が水送りチュ−ブ（９）から副チュ−ブ（４）に送られる。
▲３▼次からは、副チュ−ブ（４）に水があるため引き金（１３）を引いたときに空気がノズル（１）側に水を押し出すと同時に、水送りチュ−ブ（９）から水タンク（１６）にもいき、水タンク（１６）内の圧力を高めてその圧力で水タンク（１６）の水が副チュ−ブ（４）に送られてくる。
▲４▼引き金（１３）を引くと、引き金突起Ｂ（１５）がカム（１４）を押すことにより主チュ−ブ押さえ（１２）がカム（１４）から外れる。
▲５▼主チュ−ブ押さえ（１２）に押さえられていた主チュ−ブ（７）が開き圧力のかかった空気が、一気にノズル（１）へ行く。
▲６▼水タンク（１６）から、副チュ−ブ（４）に送られた水が▲１▼▲２▼▲３▼▲４▼▲５▼により一気に発射される。
【効果】
【０００６】本発明の水鉄砲は、
▲１▼発射水量は少ないが、水の飛ぶスピ−ドが早く、小型、軽量。
▲２▼スピ−ドが早いので、飛んでいるセミ、トンボ等を射つことができる。
▲３▼水を使わずに、一気に出てくる空気により、ノズルに弾を付けて、エア−ガンとしても遊べる。
【図面の簡単な説明】
【０００７】
【図１】本発明の内部側面図。
【図２】発明の内部斜視図
【符号の説明】
（１）        ノズル
（２）        副チュ−ブ受け
（３）        副チュ−ブ押さえ
（４）        副チュ−ブ
（５）        引き金突起Ａ
（６）        回転軸
（７）        主チュ−ブ
（８）        バネ
（９）        水送りチュ−ブ
（１０）      主チュ−ブ受け
（１１）      ポンプ
（１２）      主チュ−ブ押さえ
（１３）      引き金
（１４）      カム
（１５）      引き金突起Ｂ
（１６）      水タンク
（１７）      給水口
【図１】
2008064442.tif 000003
【図２】
2008064442.tif 000004
(57)【要約】【課題】複雑な構成をさけながら、伝統漁法である三重刺網の簡便性を損なわず、重要である刺網全面に於ける、魚の推力による、中網の潤滑な袋状の形成をなす、三重構成の刺網を提供する。【解決方法】弛んだ中網（１）の縦の一目を介し重ね合わせた２枚の外網（２）の縦の相互の一節を丈夫な網糸で固結し結び（８）に中網（１）を懸け同様に横列にβ−βと連続して、図１のように吊り橋状に架した三重構造の刺し網とした事を特徴とする。【選択図】図１
2008104441.tif 000002
【特許請求の範囲】
【請求項１】
弛む中網（１）を、少し引き揚げ、その一目を介し、中網（１）を挟むように重ねた、２枚の外網（２）の相互の一節を、丈夫な糸で固結し、結び（８）に中網（１）を懸け、横列に連続して、図１のよう、吊り橋状に架した三重構造の刺し網。
【発明の詳細な説明】
【発明の詳細な説明】
【技術分野】
【０００１】本発明は、通常沿岸漁業に使用する、三重構造である刺し網、通称三重網によるものである。
【背景技術】
【０００２】三重網の構成は、対象とする魚の通過を阻む、小網目である、通称中網を、安易に抜ける、大網目である、通称外網の２枚で中網を挟むように重ね、浮子を通したロープを刺し網の一方が起つよう装着し、おもりを有する複合ロープを片方が海底に沈むよう設ける。中網の縦横の長さは通常外網の１．４倍であり、網のもつ伸縮性を巧みに活かし、一方の外網を枠に魚の推力に押され、図３のように袋状となり捕縛する。従来三重構造の刺し網。
【発明が解決しようとする課題】
【０００３】従来構成には次のような欠点があった。
（イ）外網の約１．４倍である、中網の余剰は波のゆらぎに降下し網裾に堆積する。
堆積した中網は、海底を這うように移動する魚類には行手を阻む障害であり、又網の余剰は裾からはみ出し海底の根に絡み網の破損の因となる。
（ロ）中網の袋状となる過程は、外網の一方を枠にして魚の推力に押され、網裾に堆積する中網を擦り揚げ形成するが、
網の上層に辿に伴い、擦り揚がる網の抵抗は張り増し更に魚の突き出た口先が網目に嵌まり網を押し倒し、中網の袋状形成は困難となり、獲物は網を越え逃避する。
刺網の有効面積を著しく抑制する。三重刺網に於いて中網の袋状形成が最も重要であり、袋状の形成に至る、潤滑な過程が重要である。
（ハ）中網の袋状形成の可能性は、裾に堆積する中網の袋状の形成に必要とする余剰であるが。
一方の外網を枠として引き出される中網の長さは、垂直が最少であり横方向に於ける最長引出しは、縦の約１．５倍となり横長の形状となる。入網した獲物は横向きとなり、更に幾重にも複雑に絡み、その取外しに困窮する。時の浪費であり漁獲物の損傷を招き、手間取る作業は生鮮価値を大いに損なう。
【課題を解決するための手段】
【０００４】中網（１）の丈を従来通常の約５％を割増し、更に上端から網丈の約３分の１強に相当する位置の網目の一つに、重ね合わせた２枚の外網（２）の上端から３分の１に相当する一節の相互を図２のように固結し、結び（８）に中網（１）を懸けβ−βと、約２０ｍに及ぶ刺網終端まで、図１のように等間隔に連続して、吊り橋状に、中網（１）を架す。
本発明は、以上のような構成よりなる、三重構造の刺し網。
【発明を実施するための最良の形態】
【０００５】以下発明の実施の形態について説明する。
（イ）中網（１）の丈を従来通常の約５％を割増し、更に上端から網丈の約３分の１強に相当する位置の網目の一つに、重ね合わせた２枚の外網（２）の上端から３分の１に相当する一節の相互を図２のように固結し、結び（８）に中網（１）を懸けβ−βと、約２０ｍに及ぶ刺網終端まで、図１のように等間隔に連続して、吊り橋状に、中網（１）を架す。
（ロ）図１の中網（１）の吊り橋状構成は、一段に限らず刺し網の網高に順じた、必要階層とする。
（ハ）図１の中網（１）を懸ける、外網（２）相互の結合点（８）は用途の要求に応え、上、下、又は図４のように移動してもよい。
（ニ）図１の中網（１）の吊り橋状構成は、中網（１）の横列の網目に丈夫な網糸（９）を順次通し、図６のように外網（２）相互の一節に、同時に固結（１０）し図５の構成にしてもよい。
【発明の効果】
【０００６】本発明は以上のような構成であり、漁獲物の捕縛を目的とする、三重構造の刺網において、刺網全面に於ける魚の推力による潤滑な袋状の形成過程が重要である。
本構成は裾に堆積（３）する中網（１）を予め引き揚げ、２枚の外網（２）の結合節（８）に懸け、吊り橋状図１に架す画期的構成で堆積（３）する中網（１）の袋状の形成過程の擦れ抵抗も減少し横からの補給も呼応し刺網全面の袋の形成はスムーズである。
結合β点（８）は横方からの中網（１）の過剰な繰り出しを抑え、裾に堆積（３）する中網（１）も約３０％減少し底物の通過を促し、中網（１）のはみ出しも減じ網の破損も減少する。
本発明の効果は漁業効率を大幅に改善した、回を重ねた実験の結果を従来と比較すると反当たりの収量は数は１．７、量は１．８倍であり特に漁業者の希求する対象とする類の大型成魚の漁獲量が、頭部が半球体の類を除けば、実に４倍と高い数値を示し従来との格差は歴然である。本構成の特徴である。
概して、刺網等の主な研究テーマは、海中における網の存在感軽減である、本件のように網の主要部を繁多にし目立つ方式は、漁業認識上の通念に逆らうが、自然界の厳しい生存競争の境遇におかれ、常に周囲を警戒し物陰を移動する魚類には網の重なりは海藻の繁茂であり周辺は格好の魚道である。魚類の習性が成果を押し上げる。本構成の各海域において、使用する網数の規制を前提とすれば網数の削減に伴う諸経費の減少、安易な獲物の取外し及び網数の削減による就労時間の大幅な短縮であり、漁獲物の生鮮価値の向上である、又、忙殺する網の補修も減じ網数の規制は幼魚を保護し次に備え資源の有効利用である。
【図面の簡単な説明】
【図１】本発明の正面図である。
【図２】本発明の外網の結合部の拡大図である。
【図３】本発明の袋状の実施図である。
【図４】本発明の他の実施例を示す正面図である。
【図５】本発明の他の実施例を示す正面図である。
【図６】本発明の他の実施例を示す外網と支持糸の結合部の拡大図である。
【符号の説明】
１．中網。２．外網。３．中網の堆積。４．浮子。５．ロープ。６．おもり。７．複合ロープ。８．結合部β。９．支持糸。１０．支持糸と外網の結合部β
【図１】
2008104441.tif 000003
【図２】
2008104441.tif 000004
【図３】
2008104441.tif 000005
【図４】
2008104441.tif 000006
【図５】
2008104441.tif 000007
【図６】
2008104441.tif 000008
(57)【要約】【課題】現在は美容所等ばかりでなく理容所にも仰向けで洗髪を行う施設が多く見かけられる。しかし、この方法は、頭部の重量を頸部の１ケ所のみで支えるために多大な圧迫や負担が頸部及び頸椎等に掛かり、そのため様々な苦痛や病気、弊害を引き起こしている。【解決手段】 仰向けの状態で行う洗髪施術時の頸部及び頸椎等に対しての圧迫や負担等は、頭部の重量を頸部のみで支える事で引き起こされる訳で、その頭部の重量を独自に支える部位を構造的に加える事により、解消し、又、磁気やゲルマニウム及びチタン、電気等の様々な治癒、効能を一体化する事により、より安全・快適にサービスが行える。【選択図】  図２
2008104471.tif 000002
【特許請求の範囲】
【請求項１】
頭部の重量を支える部位と形態を備え頸部等に圧迫や負担を掛けないシャンプーボール。
【請求項２】
頭部の重量を支える部位と形態を備え、頸部等に圧迫や負担を掛けずに従来のシャンプーボールに取付け使用するシャンプークッションホルダー。
【請求項３】
頭部の重量を支える部位と形態を備え、頸部等に圧迫や負担を掛けずに従来のシャンプーボールに取付け使用する台座器具。
【請求項４】
請求項１及び請求項２、請求項３の器具に対し磁気やゲルマニウム及びチタン、電気等で、血液、神経、筋肉等の痛み、凝り等様々の症状を癒したり軽減、正常化する作用の有る物を埋め込み、吹き付け、接着等の方法で付帯、一体化した器具。
【発明の詳細な説明】
【技術分野】
【０００１】
本発明は、仰向けの状態での洗髪時、頭部の重量を十分に支える部位と形態を持ち頸部及び頸椎等への圧迫等による様々な悪影響や負担等を著しく軽減もしくは解消して尚頸部、肩、頭部等の痛みや凝り等の異常を軽減又は正常化し癒す事の出来るシャンプーボールと同様の構造と効果及び効能を持ち従来のシャンプーボールに取付け使用する器具に関するものである。
【背景技術】
【０００２】
従来、仰向けの状態での洗髪は、美容所等で多く見られるのは、女性客が化粧を施しその化粧が落ちる事を嫌うためと考えられるが、図１で示す通りこの方法では、頭部の重量を頸部のみ１ケ所で支える構造のシャンプーボールとクッションホルダーの為、頸部及び頸椎等に多大に不必要な圧迫等の負担が掛けられている。
【発明の開示】
【発明が解決しようとする課題】
【０００３】
仰向けの状態での洗髪は、顔を濡らさない利点はあるが頭部の重量を頸部のみ１ケ所で支える構造のシャンプーボールとクッションホルダーのため施術の際には、根本的に頸部及び頸椎等に多大に不必要な圧迫等の負担が掛けられ首、肩、腰、頭痛等の変調を起こし、最悪の場合全身麻痺や死亡にまで至り、現在は、「美容所脳卒中症候群」と呼ばれている。
【課題を解決するための手段】
【０００４】
従来の仰向けの状態での洗髪に、体力的、肉体的に弊害があるのは、頭部の重量を頸部のみ１ケ所で支える点にあります。本発案は、人体構造の見直しと直視にあります。人体の中で最も重いとされている頭部の重量は、直立時、盆の窪から列なる７個の頸椎に掛かります。この時  頭部の重量を頸部のクッションと言えるＳ字様な並びと首の筋肉とでバランスを取り直接的重量の負担を回避しています。しかし、仰向けの状態ではその作用は皆無に等しく尚、それを頸部のみ１ケ所を下から支えるため、頭部の重量で頸椎のＳ字並びが上に膨らむ下向きのＣ字型となりクッション性を失なってしまいます。この状態で上から洗う圧力と振動が掛かる訳ですから頸部及び頸椎の負担は計り知れません。すなわち仰向けの状態での頭部重量の重心は、盆の窪より上位の後頭部に変わりますので、その重心を支えることにより頸部及び頸椎に掛かる負担や弊害は解消されます。
【発明の効果】
【０００５】
以上の様に、本発明請求項１及び請求項２請求項３請求項４によれば、頭部の重量を頸部のみ１ケ所で支えていたために起こる様々な圧迫等の負担による頸部及び頸椎の弊害は、著しく解消され健常者のみならず、頸部や頸椎に支障が有る人も磁気やゲルマニウム及びチタン、電気等の治癒作用で安心して施術、サービスを受ける事が可能と成る。
【発明を実施するための最良の形態】
【０００６】
従来の頚部一ヶ所での頭部重量を支える事には無理があり、構造的にも独自の支えが必要とされる。
【実施例１】
【０００７】
本発明請求項１の、頭部の重量を支える部位と形態を備えるシャンプーボールは従来の頸部１ケ所だけで頭部の重量を支える物と根本的に違い、図２で示すとおり、その特長は、構造的に、頭部の重量を十分に支える部位と形態を備える事により確実に頸部及び頸椎に掛かる圧迫等の負担を著しく軽減もしくは解消する事が出来るシャンプーボールです。
【実施例２】
【０００８】
本発明請求項２の頭部の重量を支える部位と形態を備える取付型クッションホルダーは、従来の感触的のみで和らげる物と根本的に違い図３で示すとおり、その特長は構造的に頭部の重量を十分に支える部位と形態を備える台座もしくは芯を加える事により、確実に頸部及び頸椎に掛かる圧迫等の負担を著しく軽減もしくは解消するし、感触的にも頭部、頸部に圧迫等を和らげる軟質のクッション部分を１体もしくは１対に成ったシャンプークッションホルダ―で、従来のシャンプーボールに取付け使用するものです。
【実施例３】
【０００９】
本発明請求項３の頭部の重量を支える部位と形態を備える取付型台座器具は、図４で示すとおり従来の頸部１ケ所だけで、頭部の重量を支えるシャンプーボールに取付ける事により、頭部の重量を十分に支え確実に頸部及び頸椎に掛かる圧迫等の負担を著しく軽減もしくは解消する事が出来る洗髪用枕と言える台座器具です。
【実施例４】
【００１０】
本発明請求項４は、請求項１及び請求項２請求項３の器具に対して血液、神経、筋肉等の痛み、疲れ、乱れ等様々の症状を癒し、軽減、正常化する作用の有る磁気やゲルマニウム及びチタン、電気等を埋め込んだり、吹き付けたり様々の方法で接着、付帯し一体化した器具です。
【図面の簡単な説明】
【００１１】
【図１】従来の頸部のみで頸部の重量を支えているシャンプーボールとクッションホルダーを使用しての洗髪時の断面図である。
【図２】本発明請求項１に係わる頸部及び頸椎に圧迫や負担を掛けない部位と形態を備えるシャンプーボールを使用しての洗髪時の断面図である。
【図３】本発明請求項２に係わる頸部及び頸椎に圧迫や負担を掛けない部位と形態を備える取付型クッションホルダーを従来のシャンプーボールに装着した断面図である。
【図４】本発明請求項３に係わる頸部及び頸椎に圧迫や負担を掛けない部位と形態を備える取付型台座器具を従来のシャンプーボールに装着した断面図である。
【符号の説明】
【００１２】
１．・・・・・・従来のシャンプーボール
２．・・・・・・従来の取付け型クッションホルダー
３．・・・・・・本発明請求項１に係わる、頭部の重量を支える部位と形態を備えるシャンプーボール
４．・・・・・・本発明請求項２に係わる、頭部及び頸部に感触的に圧迫等を和らげる軟質のクッション部分
５．・・・・・・本発明請求項３に係わる、頭部の重量を支える部位と形態を備える取付型台座器具
【図１】
2008104471.tif 000003
【図２】
2008104471.tif 000004
【図３】
2008104471.tif 000005
【図４】
2008104471.tif 000006
(57)【要約】【課題】  猫の抜け毛を舞い散らさずに除去するためのブラッシングブラシを提供する。【解決手段】  エチケットブラシのブラシ面をぎざぎざの山切り型にすることを特徴としたペット用エチケットブラシ。【選択図】図１
2008104440.tif 000002
【特許請求の範囲】
【請求項１】
衣類用エチケットブラシのブラシ面をぎざぎざの山切り型にすることを特徴として、猫の被毛をかき分けやすく、内側の抜け毛までとることを可能にしたペット用エチケットブラシ。
【発明の詳細な説明】
【技術分野】
【０００１】本発明は猫の抜け毛を除去するためのペット用エチケットブラシに関するものである。
【背景技術】
【０００２】従来、猫の抜け毛をとるときは、獣毛等を植毛したブラシ、金属性のピンなどを植毛して作ったスリッカ−ブラシ、あるいはラバーブラシでブラッシングをしていた。
【発明の開示】
【発明が解決しようとする課題】
【０００３】そのために次のような問題点があった。
（イ）猫の毛は細いうえに短く軽いので、抜け毛をとるためにブラッシングをしても、とれた抜け毛がブラシ面に留まれず室内に舞い散ってしまい、カーペットや衣類に抜け毛がついた。ついた抜け毛は細いため衣類やカーペットにつくとなかなかとれにくく、とるのに手数がかかった。
（ロ）金属製のスリッカー、ラバーブラシは猫の被毛や皮膚に負担をかけることになるので使用がためらわれた。
本発明は、以上の問題点を解決するためになされたものである。
【課題を解決するための手段】
【０００４】エチケットブラシのブラシ面をぎざぎざの山切り型に成型した。以上を特徴とするペット用エチケットブラシである。
【発明の効果】
【０００５】猫の被毛にこのブラシをかけると、エチケットブラシの特徴である細かい糸くずや毛をキャッチしブラシ面に保留させるという機能（起毛した繊維を片側に倒し、倒した逆方向からの力を加えることによって細かな糸くずや毛を織りの間にはさみこんでキャッチする。）によって、無理な力を加えることなく抜け毛をとり、とった抜け毛をブラシが舞い散らすことなく保留することができる。したがって、猫の抜け毛を除去するためのブラッシングをしたあとの部屋の掃除や衣類についた抜け毛を除去するというわずらわしさがない。また、ブラシ面をぎざぎざの山切り型にすることによって被毛をかき分けることができ、内側の抜け毛まで除去することを可能にした。
【発明を実施するための最良の形態】
【０００６】以下、本発明の実施の形態を説明する。
（イ）ブラシ本体（１）の下面のブラシ（２）部分をぎざぎざの山切り型に成型する。
（ロ）ブラシ（２）は起毛が柄（３）側に倒伏している状態で成型する。
本発明は以上のような構造で、これを使用するときはブラシ本体（１）を柄（３）の方向に引くようにする。
【図面の簡単な説明】
【０００８】
【図１】本発明の斜視図
【図２】本発明の平面図
【図３】本発明の使用状態を示す側面図
【符号の説明】
【０００９】１  ブラシ本体
２  ブラシ
３  柄
【図１】
2008104440.tif 000003
【図２】
2008104440.tif 000004
【図３】
2008104440.tif 000005
(57)【要約】      （修正有）【課題】美的、且つ価値をもたらす箸を提供する。【解決手段】箸の一部にダイヤモンドを着ける事により、価値を高め、高貴な美術品としても、美しく、希少価値のある食器となる。【選択図】図１
2008104835.tif 000002
【特許請求の範囲】
【請求項１】
ダイヤモンドを付けた箸。
【発明の詳細な説明】
【技術分野】
【０００１】この発明は、食事に、使用する箸にダイヤモンドを着けることに依り単に食事する為の道具の一つだった箸が、日本の伝統的な食器文化の箸に大いなる美的、且つ多大な価値をもたらす画期的な発明である。
【背景技術】
【０００２】従来、食事に使用する箸は単なる食事の時の道具の一つでしか無かった。
【発明の開示】
【発明が解決しようとする課題】
【０００３】従来、食事の時に使用する単なる道具の一つでしか無かった箸に、ダイヤモンドと云う希少価値の高い宝石を着ける事により、日本の伝統有る食器文化を、より価値を高め、高貴な美術品としても、価値的にも極めて美しく、希少価値のある食器となる。
【課題を解決するための手段】
【０００４】様々な木製や樹脂等の素材の箸に、ダイヤモンドを着ける。
【発明の効果】
【０００５】従来、箸は日本の伝統的食器文化の一つであり、様々な銘木や素材に塗り物等で飾り付けはしていたが、当発明により、ダイヤモンドという、極めて希少価値の高く美しい宝石を着ける事により、従来の伝統美の箸とは全く異なった日本の伝統の食器に加え、極めて美的と希少価値の高い食器となった優れた発明である。
【発明を実施する為の最良の形態】
【０００６】以下、本発明の実施例について説明する。様々な素材の箸の一部に、ダイヤモンドを着ける。（１）
【図面の簡単な説明】
【０００７】
【図１】本発明の全体図である。
【図２】本発明のダイヤモンドを着けた部分例の図である。
【符号の説明】
【０００８】１  通常使用時の２本の箸の１本にダイヤモンドを付けた例である。〔符号の説明〕〔０００９〕１  ２本の箸の１本にダイヤモンドを付けた部分の例である
【図１】
2008104835.tif 000003
【図２】
2008104835.tif 000004
(57)【要約】      （修正有）【課題】ハンガーを物干し竿に架けた場合、風等により飛んでしまったり、或いは、大きい衣服等の場合は干しづらかったり、型くずれする問題がある。又、物干し台は移動が困難なため、常にスペースを取り邪魔になる場合がある。【解決手段】リール形状の巻き取り機３でワイヤーの巻き戻しをすることにより、物干し竿を上下に動かし、衣服等を楽に干せるようにした。更に特製ハンガーの使用により、風等による衣服等の重なり、飛散を防止した。又、物干し竿を使用しない時は、リール形状の巻き取り機３でワイヤーを天井まで巻き上げ、物干し竿を天井に収納するようにしたため、スペースの有効活用ができるようにした。【選択図】図１
2008104821.tif 000002
【特許請求の範囲】
【請求項１】
特製ハンガーを均等にかけることの出来る穴の開いた事を特徴とする物干し竿
【請求項２】
１本のワイヤーのさきに２個リングを固定しそのリングに請求項１のもの干し竿を通す。間に方向を転換する滑車にワイヤーを通す。そのワイヤーを図面Ｉ−▲１▼の滑車に通し、▲２▼のフックに掛ける。そして長さを調節する。
【請求項３】
請求項２のワイヤーの▲２▼のフックと図面１−▲３▼のリール形状のワイヤー巻き取り機と接続する。
【発明の詳細な説明】
【技術分野】
【０００１】この発明は、洗濯物等を屋外で干す時に用いる物干し竿に関する。
【背景技術】背景技術【０００２】従来の物干し竿は、図ＩＩのように、地面に置く物干し台の上に置くタイプのものと、天井に固定されたもの干し台にかける物である。
【発明の開示】
発明の開示
【発明が解決しようとする課題】
【０００３】しかしながら、以上の技術によれば、ベランダやバルコニーが狭くなりうまくスペースを活用ができず、風で洗濯物が重なり乾きにくかったり飛んでしまったり、シーツやふとんが干せない等の問題がある。それに、高齢者や車椅子生活の方なども、洗濯物を干すことが大変苦労する。そこで、この発明はベランダやバルコニーを広く有効的に活用でき、もの干し竿に穴が開いていることにより風の影響で重なったり、飛んで落ちることもなく洗濯物等が、乾きやすい。そして、シーツや布団なども重さ３０キロ（２本合計の対加重）まで干すことが出来る。高齢者や車椅子生活者の負担をかけず、簡単に干すことが出来るもの干し竿と物干し台、特製ハンガーを提供することを課題とする。
【課題と解決する為の手段】
【０００４】以上の課題を解決する為に第一の発見は天井に４箇所の穴を開け、そこにボルトを入れて固定しその先に滑車を固定する。その滑車にワイヤーを通し４点先にリングを付ける。そのリングにもの干し竿（２個のリングに１本のもの干し竿）を通して固定することを特徴とするもの干し竿。第２の発見は第１の発見の物干し竿を吊り下げているワイヤーを別のワイヤーで滑車を通して、リール形状の巻き取り機で巻き戻しをすることにより、もの干し竿を上下させる。第３の発見は、もの干し竿の棒の部分の下部の所を２ｃｍ角の穴を１８〜２０箇所開ける。その穴の底辺部分を少しカーブの形状を付ける。第４の発見は、第３の発見の穴の底辺部分のカーブ形状のくぼみに架かるフックの部分に５ｍｍの凹み部分の付いたハンガーである。第５の発見は、第４の発見のハンガーの背の部分が２重構造になっており伸縮し、楕円形の穴が４箇所開いており、洗濯物のずれ落ちを防止する。
【発明の効果】
【０００５】第１の発明、第２の発明によれば、もの干し竿の上げ下ろしが容易にできるようになり、老若男女問わず、楽に洗濯物等を干すことができる発明。第３の発明、第４の発明によれば、洗濯物が風で飛んだり、重なり合って乾かない場合があったり、大きい服をきちっと伸ばして干せなかった物を簡単に容易に干せる発明。
【発明を実施するための最良の形態】
【０００６】この発明の一実施形態を図１に示す。このもの干し竿は、アルミ製で腐食せず、軽量で扱いやすい。図１の▲３▼のリール部分を回すことにより、図１の▲２▼のフックが上下し、そのフックに連結している図１の▲１▼の滑車を通りワイヤーが上下に動き、図１の▲４▼のリングを可動させる。そのため、リングを通している物干し竿が上下に作動する。この発明の一実施形態を図２に示す。このもの干し竿は、図▲３▼の特製ハンガーを図２の▲１▼の穴にかけることができる。このもの干し竿は、２．４センチ角の８角形の筒状のものと、その底辺部分に幅２．７ｃｍのプレートが接続しその反対側に７ｍｍ角の筒状の角柱が接続してある。これらは全て一体化して製造してある。この発明の一実施形態を図３に示す。このハンガーは、プラスチック製で腐食せず軽量で扱いやすい。図３の▲１▼の凹部分は、図２の▲１▼の穴部分に掛けることができ、風などで洗濯物が飛ぶのを防止できる仕掛けとなっている。図３の▲２▼の部分はプラスチック製でハンガー本体と、２重構造になっておりスライドすることができる。その効果によりより大きな衣服を干すことできる。図３の▲３▼の楕円形の穴は、衣服のずれ落ちを防止することができる。
【実施形態の効果】
【０００７】この実施形態によれば、図１の▲３▼のリール部分を手動で回すことによりワイヤーにつながれた、もの干し竿を上下に動かすことができる。そのため、老若男女に問わず、体の不自由な方なども、容易に力を使うこともなくもの干し竿を上下に動かすことができ、体に無理なく洗濯物を干すことができる。図２の▲１▼の穴が開いていることにより、図３のハンガーを掛けることができる。しかし、一般のハンガーと違う所は、図３の▲１▼の凹部分にある。この凹み部分が有ることにより風がふいても、洗濯物が飛ぶ事がない。図３の▲３▼があることにより、衣服がずれ落ちることが防止できる。
【他の実施形態】
【０００８】図１の実施形態では、図２のもの干し竿は、アルミ製であったが他の実施形態では、ステンレス製でも良い。そして、ワイヤー部分もステンレス製のワイヤーでも良い
【図面の簡単な説明】
【０００９】
【図１】この発明の一実施形態を示す全体的なシステムの斜視図である。
【図２】この発明の実施形態のもの干し竿の部分を示す斜視図である。
【図３】この発明の一実施形態のハンガーを示す斜視図である。
【符号の説明】
【００１０】  １もの干しシステムの全体図    ２もの干し竿  ３特製ハンガー
【図１】
2008104821.tif 000003
【図２】
2008104821.tif 000004
【図３】
2008104821.tif 000005
(57)【要約】【課題】  ぬいぐるみを簡単に干すためのぬいぐるみ干し具を提供する。【解決手段】  黒い生地からなる円筒状の袋の開口部に対向するように直線状の板バネを設け、袋の上面に吊り具を設け、吊り具と袋の接続部が支点を介して回転することを特徴とするぬいぐるみ干し具。【選択図】図１
2008104824.tif 000002
【特許請求の範囲】
【請求項１】
黒い生地からなる円筒状の袋の開口部に対向するように直線状の板バネを設け、袋の上面に吊り具を設け、吊り具と袋の接続部が支点を介して回転することを特徴とするぬいぐるみ干し具。
【発明の詳細な説明】
【技術分野】
【０００１】  本発明は、ぬいぐるみのダニや細菌を天日干し殺菌するための、ぬいぐるみ干し具である。
【背景技術】
【０００２】  従来は、ぬいぐるみを屋根に置いたり洗濯竿にかけて天日に当てて干していた。
また、干し具としては人目に触れないで干せる女性用下着の物干し具の発明が知られている（特許文献１）。
【特許文献１】実用新案公開平０７−０３３２９２号公報
【発明の開示】
【発明が解決しようとする課題】
【０００３】  そのために次のような問題点があった。
（イ）ぬいぐるみを洗濯竿に掛けて干すとバランスが悪く落ちてしまい、またぬいぐるみ全面に天日が当たらなかった。
（ロ）ぬいぐるみ専用の干し具がなくダニが付着し不衛生であった。
本発明は、以上の問題点を解決するためになされたものである。
【課題を解決するための手段】
【０００４】  黒い生地からなる円筒状の袋の開口部に対向するように直線状の板バネを設ける。袋の上面に吊り具を設け、吊り具と袋の接続部が支点を介して回転する。開口部の上面と下面を手で押圧すると直線状の板バネが開口部両側の外方向に開いて、開口部より袋内へぬいぐるみを入れたり袋から取り出したりできる。以上の特徴とするぬいぐるみ干し具である。
【発明の効果】
【０００５】  簡単にぬいぐるみを干すことができる。
また、黒い布を使用することと回転することで天日によく当たり、ダニの殺菌力が高まり衛生的である。
また、開口部に板バネを使用することで簡単に開閉ができる。
【発明を実施するための最良の形態】
【０００６】以下、本発明の実施の形態について説明する。
（イ）黒い布地の袋（１）を円筒状にし、開口部（２）を設ける。
（ロ）開口部（２）の周縁に通し部（３）を設け、２本の直線状の板バネ（４）を対向して入れる。
（ハ）袋（１）の上面に吊り部（５）を設ける。
（ニ）袋（１）と吊り部（５）の接続部（６）の支点を介して回転する。
本発明は以上のような構造で、これを使用するときは、袋（１）の開口部（２）の周縁を上と下から同時に手で押圧すると、２本の直線状の板バネ（４）は両側の外の方向にたわむ。これにより開口部（２）は両側に開いてぬいぐるみを入れ、吊り部（５）を物干し竿にかける。時々袋（１）を回転させる。
【図面の簡単な説明】
【０００７】
【図１】本発明の斜視図
【図２】本発明の横断面図
【図３】本発明の開口している正面縦断面図
【図４】本発明の開口部が閉じている正面断面図
【符号の説明】
【０００８】      １  袋
２  開口部
３  通し部
４  板バネ
５  吊り部
６  装着部
７  ぬいぐるみ
【図１】
2008104824.tif 000003
【図２】
2008104824.tif 000004
【図３】
2008104824.tif 000005
【図４】
2008104824.tif 000006
(57)【要約】      （修正有）【課題】寝返りなどでずれ難く、仰向け就寝時に下方にずれても、膝の捻転負荷への強まり痛みを軽減し、又、こむら返りへの対処機能を備えた就寝用下肢クッションを提供する。【解決手段】下腿長より長めで、体幹寄りを厚く、あるいは、硬くした大腿部支持クッション１、下腿部クッション２を備える。こむら返り発生時に足関節を背屈位に保つ為の足尖底マクラ３と、ゴムバンドなどの弾性連結体４を組み合わせた輪状、袋状等種々の形状の構成体を備えている。  【選択図】図１
2008104827.tif 000002
【特許請求の範囲】
【請求項１】
下腿長よりも縦長が長めで、爪先寄り（１）に比べ体幹寄り（２）を厚く、又は、硬くして下肢重を分散支持する構成の就寝、及び、筋力強化用下肢クッション。
【請求項２】
こむら返り対処用途に、こむら返り発生時に足関節を背屈位に保つ為の足底枕（３）と、ゴムバンドなどの弾性体（４）を組み合わせる等して作製した、輪状、袋状等種々の形状の構成体を、着脱式など種々の方法で取り付けた就寝用下肢クッション。
【発明の詳細な説明】
【技術分野】
【０００１】本発明は、加齢や負傷による膝関節の伸展不全に伴う就寝中の膝関節の捻転負荷を解消、又、寝たきりの高齢者の踵が浮いた状態を維持、就寝中の腰椎の反り返りを軽減、更には就寝中のこむら返りの発生時に足関節を背屈位に保つ等、就寝中の腰から下半身の障害に総合的に対処する下肢用クッション仕様の寝具に関する。
【背景技術】
【０００２】従来、就寝用の下肢クッションとしては、座布団を丸めたものや、綿の等各種素材の詰まった枕状のものが、又、三角形状に成型したもの等があった（例えば、非特許文献特許公開２００６−８９８９２参照）。又、こむら返りの対処寝具としては、本発明出願者のサポーターと足趾かけバンドを組み合わせた仕様のものや、（例えば、登録実用新案文献  実用新案出願２００１−７５９５参照）発熱繊維を織り込んだ筒状のサポーター仕様のものがあった。（例えば、非特許文献特許公開２００６−８９８９２参照）
しかし、本形態のように下肢重分散を考慮し、こむら返りなど、就寝中の障害に総合的に対処できる下肢用クッションはなかった。
【発明の開示】
【発明が解決しようとする課題】
【０００３】従来の就寝用下肢クッションは、下肢の加重の分析や、膝関節の伸展不全者の膝関節が就寝時に外に倒れる現象解析が出来ていない為、仰向け就寝中の膝関節に掛かる捻転負荷を考慮した加工がなされておらず、寝返り等でクッションが下方にずれると下腿部で下肢重を支え、大きな捻転力が膝関節に掛かり痛みを誘発する欠点があった。又、これらにこむら返りの対処機能はなかった。【０００４】本発明は、このような従来の就寝用下肢クッションでは解消できない、就寝中の膝関節への外捻負荷を緩和して、膝関節が軽く屈曲して下腿部が浮き上がった状態を保ち、又、こむら返り、腰痛の緩和など、快適な睡眠の提供を目的とする。
【課題を解決するための手段】
【０００５】第一の解決手段として下腿長より長めで、体幹寄りを厚く、あるいは、硬くした構成の下肢用クッション（１）（２）を種々の素材で作成する。【０００６】又、第２の解決手段として就寝中にこむら返りが起きる人向けに、こむら返り発生時に足関節を背屈位に保つ為の足底枕（３）と、ゴムバンドなどの弾性体（４）を組み合わせるなどして作成した、輪状、袋状等種々の形状の構成体を取り付けた仕様にする。【０００７】上記第１の課題解決手段による作用は、下腿長よりも長めである為、寝返り等でずれても仰向け就寝なると、クッションの爪先寄り末端部が踵後部のふくらみに引っ掛かる位置に引き戻され安定する。そして、体幹寄りが厚い構成の為、仰向け就寝時には、下肢重を主に膝関節を境にして体幹寄りの大腿部で支える。この下肢重分散構造が、梃子の原理によって膝関節に掛かる捻転負荷を解消する。
又、自力で寝返りが出来ない要介護者などに、床ずれの発生頻度の高い踵後面を、常に浮き上がった状態に保つ。更に、仰向け就寝時の腰仙部の反り返りを解消する。【０００８】又、上記第２の課題解決手段による作用は、こむら返りが発生した場合に、構成体（３）（４）を爪先に掛けて足関節を背屈位に保つ。
【発明の効果】
【０００９】  本発明は以上のような構造であるから、仰向け就寝時に常に本クッションの作用効果を発揮し易い位置に安定し、従来のクッションが寝返り等で、ずれて膝関節への捻転負荷を高める課題を軽くする。そして、体幹寄りを厚くした構成のため、仰向け就寝時に掛かる下肢の重みを、膝関節より体幹寄り大腿部で主に支えるように分散して支持、梃子の原理作用によって膝関節の外捻及び、内側に掛かる圧迫負荷を軽減、膝関節伸展不全者が抱える仰向け就寝時の膝痛を起き難くする。
又、寝たきりの高齢者の床ずれの頻発部位である踵後面が浮き上がるため、これの発生を置き難くし、更には、腰椎の変形などの原因で就寝時の腰仙部の反り返りによる腰痛を緩和する。【００１０】  又、こむら返り対処仕様では、足関節を背屈位に保ち症状を緩和、そのまま就寝で再発生を起き難くする。
尚、横向け寝では下肢に挟むように使用すれば、膝関節内側の接触痛や腰部の捻転を解消する。そして、これら発明の効果については、本発明者が営む接骨院の患者などによるモニターを実施、合わせて従来品と比較検証して確認した。
【発明の実施する為の最良の形態】
【００１１】以下、本発明の実施の形態を図１〜２図に基づいて説明する。下腿の長さよりも長めで、体幹寄りを厚くした、又は、硬くした構成のクッション（１）（２）を種々の素材で、あるいは素材を組み合わせるなどして作成する。又、就寝中に脚がつる人に向けては、ゴムバンド等の弾性体（４）や、布地、ビーズなどの流動素材など種々の素材で作成した足底枕（３）を組み合わせるなどして作製した構成体を取り行ける。
【００１２】  これを、膝の加齢変形や負傷に伴う、膝の伸展不全のため仰向け就寝が困難な人に、又は、寝たきりの要介護老人などの就寝補助として、あるいは、こむら返り対処寝具として使用させる。
【００１３】  又、本クッションを下に押し付けながら、膝を伸展して大腿四頭筋など膝関節周囲の筋肉を収縮させる、安全で手軽な筋力強化運動を習慣化して行う運動補助具として、あるいは、老人ホームでの介護用寝具として、又、病院の入院用寝具として活用する。
【００１４】  更には、クッションの側生地にファスナー等を設け開閉自在式にし、個々の体型に合わせて中材の量を増減可能な仕様にして、腰背部痛、膝関節の捻じれ痛、踵の接触痛や床ずれ、こむら返りまで、総合的に対処する寝具を提供する新方式の、就寝補助介護サービスシステムとしてビジネス展開する。
以上のように本発明の形態にすれば、従来の下肢クッションの抱える課題を解消し、腰から下の就寝中の障害を緩和して快適な睡眠が得られ、又、新しい介護システムとして提供出来る。
【図面の簡単な説明】
【００１５】
【図１】本発明の斜視図である。
【図２】こむら返り発生時に装着した側面図である。
【符号の説明】
【００１６】          １    大腿部支持クッション
２    下腿部支持クッション
３    足尖底マクラ
４    弾性連結体
【図１】
2008104827.tif 000003
【図２】
2008104827.tif 000004